(57)【要約】【課題】同期発電機の励磁制御装置に備えられた交流信号検出手段に用いられるＡ／Ｄ変換器は、温度変化や経年変化によりオフセットやゲインの特性誤差を生じる場合があり、また、検出精度が許容範囲を逸脱した場合でもそれを検出することができないため、検出精度の低下や信頼性の低下を生じ、これを防ぐ必要がある。【解決手段】補正手段１５において、基準電気量ＶＦとあらかじめ設定された基準電気量の設定値とを比較することによりＡ／Ｄ変換器の特性誤差を演算し、得られた特性誤差を基に入力電気量ＶＥを補正演算する。また、特性誤差が許容範囲を逸脱している場合は異常検出手段１６によりそれを検出し、異常検出信号Ｅ１を出力する。【選択図】  図３
2005033850.tif 000002
【特許請求の範囲】
【請求項１】
同期発電機の出力電圧を検出する計器用変成器と、同期発電機の出力電流を検出する変流器と、前記計器用変成器および変流器の出力信号を入力信号として電気量を出力する交流信号検出手段と、前記交流信号検出手段からの電気量に基づき同期発電機の励磁信号を出力する自動電圧調整演算手段とからなる同期発電機の励磁制御装置において、前記交流信号検出手段は、基準信号を発生させる基準信号発生回路と、前記計器用変成器および変流器からの入力信号と基準信号とを加算する加算回路と、加算回路からの出力信号の瞬時値を一定の周期でディジタル変換して、ディジタル信号行列を生成出力するＡ／Ｄ変換器と、前記ディジタル信号行列から基準信号の成分を除去する基準信号除去手段と、基準信号除去手段の出力から入力電気量を演算する第１の交流信号演算手段と、前記ディジタル信号行列から入力信号の成分を除去する入力信号除去手段と、入力信号除去手段の出力から基準電気量を演算する第２の交流信号演算手段と、入力電気量と基準電気量から電気量を補正演算する補正手段とから構成されることを特徴とする同期発電機の励磁制御装置。
【請求項２】
同期発電機の出力電圧を検出する計器用変成器と、同期発電機の出力電流を検出する変流器と、前記計器用変成器および変流器の出力信号を入力信号として電気量を出力する交流信号検出手段と、前記交流信号検出手段からの電気量に基づき同期発電機の励磁信号を出力する自動電圧調整演算手段とからなる同期発電機の励磁制御装置において、前記交流信号検出手段は、基準信号を発生させる基準信号発生回路と、入力信号及び基準信号の瞬時値を一定の周期でディジタル変換して、ディジタル信号行列を生成出力するＡ／Ｄ変換器と、入力信号のディジタル信号行列から入力電気量を演算する第１の交流信号演算手段と、基準信号のディジタル信号行列から基準電気量を演算する第２の交流信号演算手段と、入力電気量と基準電気量から電気量を補正演算する補正手段とから構成されることを特徴とする同期発電機の励磁制御装置。
【請求項３】
同期発電機の出力電圧を検出する計器用変成器と、同期発電機の出力電流を検出する変流器と、前記計器用変成器および変流器の出力信号を入力信号として電気量を出力する交流信号検出手段と、前記交流信号検出手段からの電気量に基づき同期発電機の励磁信号を出力する自動電圧調整演算手段とからなる同期発電機の励磁制御装置において、前記交流信号検出手段は、励磁制御装置の交流信号検出手段において、一定周期で基準信号を選択するための選択信号を発生する基準信号選択手段と、選択信号に応じて基準信号を生成する基準信号発生回路と、入力信号と基準信号を加算する加算回路と、加算回路からの出力信号の瞬時値を一定の周期でディジタル変換して、ディジタル信号行列を生成出力するＡ／Ｄ変換器と、前記ディジタル信号行列から基準信号の成分を除去する基準信号除去手段と、基準信号除去手段の出力から入力電気量を演算する第１の交流信号演算手段と、前記ディジタル信号行列から入力信号の成分を除去する入力信号除去手段と、入力信号除去手段の出力から基準電気量を演算する第２の交流信号演算手段と、入力電気量と基準電気量及び選択信号から電気量を補正演算する補正手段とから構成されることを特徴とする同期発電機の励磁制御装置。
【請求項４】
同期発電機の出力電圧を検出する計器用変成器と、同期発電機の出力電流を検出する変流器と、前記計器用変成器および変流器の出力信号を入力信号として電気量を出力する交流信号検出手段と、前記交流信号検出手段からの電気量に基づき同期発電機の励磁信号を出力する自動電圧調整演算手段とからなる同期発電機の励磁制御装置において、前記交流信号検出手段は、一定周期で基準信号を選択するための選択信号を発生する基準信号選択手段と、選択信号に応じて基準信号を生成する基準信号発生回路と、入力信号及び基準信号の瞬時値を一定の周期でディジタル変換して、ディジタル信号行列を生成出力するＡ／Ｄ変換器と、入力信号のディジタル信号行列から入力電気量を演算する第１の交流信号演算手段と、基準信号のディジタル信号行列から基準電気量を演算する第２の交流信号演算手段と、入力電気量と基準電気量及び基準信号選択手段の出力から電気量を補正演算する補正手段とから構成されることを特徴とする同期発電機の励磁制御装置。
【請求項５】
基準電気量からＡ／Ｄ変換器の特性誤差が許容範囲を逸脱したことを検出する異常検出手段を設けたことを特徴とする請求項１乃至４のいずれかに記載の同期発電機の励磁制御装置。
【発明の詳細な説明】
【０００１】
【発明の属する分野】
本発明は、交流信号検出手段を改良した同期発電機の励磁制御装置に関する。
【０００２】
【従来の技術】
同期発電機の励磁制御装置においては、同期発電機の運転状態の制御および監視を行うため、同期発電機の出力電圧、出力電流などの電気量を検出する交流信号検出手段を備えている。検出された交流信号はアナログ信号であり、これをディジタル処理するために、アナログ信号をディジタル信号に変換するＡ／Ｄ変換器を用いてディジタル信号に変換して信号処理し、励磁装置に送られる。
【０００３】
この様な同期発電機の励磁制御装置において、異常診断を行う方式として、各相間のバランス確認を行い検出回路の診断を実施することが開示されている（例えば、特許文献１参照）。
【０００４】
図１０は同期発電機の励磁制御装置における従来の交流信号検出手段を示すブロック図である。
図１０において、交流信号検出手段５は、同期発電機の出力電圧、出力電流などの入力信号Ｖ０、Ｉ０が入力され、この入力信号Ｖ０、Ｉ０の瞬時値を一定の周期でディジタル変換して、ディジタル信号行列ＶＤＣを生成出力するＡ／Ｄ換器１０と、ディジタル信号行列ＶＤＣから電気量Ｖ１、Ｉ１を演算する交流信号演算手段１２とから構成される。
【０００５】
しかしながら、Ａ／Ｄ変換器は温度変化や経年変化に伴うオフセットやゲインの特性誤差を生ずる場合がある。
Ａ／Ｄ変換器１０の温度変化や経年変化に伴うオフセットやゲインの特性誤差に対しては、極力温度変化の影響を受けにくいＡ／Ｄ変換器を使用したり、Ａ／Ｄ変換器１０を定期的に調整を行うことにより対処している。
【０００６】
【特許文献１】
特開平７−１７０７９８号公報
【０００７】
【発明が解決しようとする課題】
しかしながら、極力温度変化の影響を受けにくいＡ／Ｄ変換器を使用したとしても完全に温度変化の影響を排除することはできない。
Ａ／Ｄ変換器１０が温度変化や経年変化に伴うオフセットやゲインの特性誤差を生じた場合、電気量Ｖ１、Ｉ１の検出精度が低下する恐れがある。
【０００８】
また、Ａ／Ｄ変換器１０の特性誤差が許容範囲を逸脱した場合でもそれを検出することができないため、電気量Ｖ１、Ｉ１の検出精度が低下し、交流信号検出手段としての信頼性が低かった。
【０００９】
本発明は上述の課題を解決するためになされたもので、Ａ／Ｄ変換器の温度変化や経年変化による特性誤差が電気量の検出精度に影響することを防止し、また、Ａ／Ｄ変換器の温度変化や経年変化による特性誤差が許容範囲を逸脱した場合や故障した場合それを検出し、電気量の検出精度が高く、信頼性の高い交流信号検出手段を備えた同期発電機の励磁制御装置を提供することを目的とする。
【００１０】
【課題を解決するための手段】
上記目的を達成するために請求項１に記載の発明は、同期発電機の出力電圧を検出する計器用変成器と、同期発電機の出力電流を検出する変流器と、前記計器用変成器および変流器の出力信号を入力信号として電気量を出力する交流信号検出手段と、前記交流信号検出手段からの電気量に基づき同期発電機の励磁信号を出力する自動電圧調整演算手段とからなる同期発電機の励磁制御装置において、前記交流信号検出手段は、基準信号を発生させる基準信号発生回路と、前記計器用変成器および変流器からの入力信号と基準信号とを加算する加算回路と、加算回路からの出力信号の瞬時値を一定の周期でディジタル変換して、ディジタル信号行列を生成出力するＡ／Ｄ変換器と、前記ディジタル信号行列から基準信号の成分を除去する基準信号除去手段と、基準信号除去手段の出力から入力電気量を演算する第１の交流信号演算手段と、前記ディジタル信号行列から入力信号の成分を除去する入力信号除去手段と、入力信号除去手段の出力から基準電気量を演算する第２の交流信号演算手段と、入力電気量と基準電気量から電気量を補正演算する補正手段とから構成されることを特徴とする。
【００１１】
請求項２に記載の発明は、同期発電機の出力電圧を検出する計器用変成器と、同期発電機の出力電流を検出する変流器と、前記計器用変成器および変流器の出力信号を入力信号として電気量を出力する交流信号検出手段と、前記交流信号検出手段からの電気量に基づき同期発電機の励磁信号を出力する自動電圧調整演算手段とからなる同期発電機の励磁制御装置において、前記交流信号検出手段は、基準信号を発生させる基準信号発生回路と、入力信号及び基準信号の瞬時値を一定の周期でディジタル変換して、ディジタル信号行列を生成出力するＡ／Ｄ変換器と、入力信号のディジタル信号行列から入力電気量を演算する第１の交流信号演算手段と、基準信号のディジタル信号行列から基準電気量を演算する第２の交流信号演算手段と、入力電気量と基準電気量から電気量を補正演算する補正手段とから構成されることを特徴とする。
【００１２】
請求項３に記載の発明は、同期発電機の出力電圧を検出する計器用変成器と、同期発電機の出力電流を検出する変流器と、前記計器用変成器および変流器の出力信号を入力信号として電気量を出力する交流信号検出手段と、前記交流信号検出手段からの電気量に基づき同期発電機の励磁信号を出力する自動電圧調整演算手段とからなる同期発電機の励磁制御装置において、前記交流信号検出手段は、励磁制御装置の交流信号検出手段において、一定周期で基準信号を選択するための選択信号を発生する基準信号選択手段と、選択信号に応じて基準信号を生成する基準信号発生回路と、入力信号と基準信号を加算する加算回路と、加算回路からの出力信号の瞬時値を一定の周期でディジタル変換して、ディジタル信号行列を生成出力するＡ／Ｄ変換器と、前記ディジタル信号行列から基準信号の成分を除去する基準信号除去手段と、基準信号除去手段の出力から入力電気量を演算する第１の交流信号演算手段と、前記ディジタル信号行列から入力信号の成分を除去する入力信号除去手段と、入力信号除去手段の出力から基準電気量を演算する第２の交流信号演算手段と、入力電気量と基準電気量及び選択信号から電気量を補正演算する補正手段とから構成されることを特徴とする。
【００１３】
請求項４に記載の発明は、同期発電機の出力電圧を検出する計器用変成器と、同期発電機の出力電流を検出する変流器と、前記計器用変成器および変流器の出力信号を入力信号として電気量を出力する交流信号検出手段と、前記交流信号検出手段からの電気量に基づき同期発電機の励磁信号を出力する自動電圧調整演算手段とからなる同期発電機の励磁制御装置において、前記交流信号検出手段は、一定周期で基準信号を選択するための選択信号を発生する基準信号選択手段と、選択信号に応じて基準信号を生成する基準信号発生回路と、入力信号及び基準信号の瞬時値を一定の周期でディジタル変換して、ディジタル信号行列を生成出力するＡ／Ｄ変換器と、入力信号のディジタル信号行列から入力電気量を演算する第１の交流信号演算手段と、基準信号のディジタル信号行列から基準電気量を演算する第２の交流信号演算手段と、入力電気量と基準電気量及び基準信号選択手段の出力から電気量を補正演算する補正手段とから構成されることを特徴とする。
【００１４】
以上のような請求項１乃至４に記載の発明によれば、Ａ／Ｄ変換器の特性誤差を演算し、得られた特性誤差を基に入力電気量を補正演算することにより、電気量からＡ／Ｄ変換器の特性誤差の影響を排除する。
【００１５】
【発明の実施の形態】
以下、本発明の実施の形態を図面を参照して説明する。図１は、本発明の第１の実施の形態による同期発電機の励磁制御装置を示すブロック図である。
図１において、励磁制御装置１は、同期発電機２の出力電圧を検出する計器用変成器３と、同期発電機２の出力電流を検出する変流器４と、計器用変成器３および変流器４の出力信号を入力信号Ｖ０、Ｉ０として電気量Ｖ１、Ｉ１を出力する交流信号検出手段５と、電気量Ｖ１、Ｉ１に基づき同期発電機２の励磁装置６に励磁信号Ｒ１を出力する自動電圧調整演算手段７から構成されている。
【００１６】
図２は、前記励磁制御装置１の交流信号検出手段５のブロック図である。図２に示す交流信号検出手段５は、基準信号ＶＲを発生させる基準信号発生回路８と、計器用変成器３および変流器４からの入力信号Ｖ０、Ｉ０と基準信号ＶＲを加算する加算回路９と、加算回路９の出力信号ＶＡの瞬時値を一定の周期でディジタル変換して、ディジタル信号行列ＶＤＢを生成出力するＡ／Ｄ変換器１０と、ディジタル信号行列ＶＤＢから基準信号ＶＲの成分を除去する基準信号除去手段１１と、基準信号除去手段１１の出力のディジタル信号行列ＶＤＣから入力電気量ＶＥを演算する第１の交流信号演算手段１２と、ディジタル信号行列ＶＤＢから入力信号Ｖ０、Ｉ０を除去する入力信号除去手段１３と、入力信号除去手段１３の出力のディジタル信号行列ＶＤＤから基準電気量ＶＦを演算する第２の交流信号演算手段１４と、入力電気量ＶＥと基準電気量ＶＦから電気量Ｖ１、Ｉ１を補正演算する補正手段１５とから構成されている。
【００１７】
本実施の形態によれば、補正手段１５において基準電気量ＶＦとあらかじめ設定された基準電気量の規定値とを比較し、Ａ／Ｄ変換器１０の特性誤差を演算し、得られた特性誤差を基に入力電気量ＶＥを補正演算することにより、電気量Ｖ１、Ｉ１からＡ／Ｄ変換器１０の特性誤差の影響を排除することができる。
【００１８】
これにより、Ａ／Ｄ変換器１０の温度変化や経年変化による特性誤差が電気量Ｖ１、Ｉ１の検出精度に影響しなくなることから、電気量Ｖ１、Ｉ１の検出精度を向上させることができる。
【００１９】
次に、本発明の第２の実施の形態について図３を参照して説明する。なお、以下の実施の形態の説明において、図２に示す第１の実施の形態と同一部分には同一の符号を付し、詳細な説明は省略する。
【００２０】
図３に示すように本実施の形態は、第１の実施の形態の励磁制御装置１の交流信号検出手段５において、特性誤差が許容範囲を逸脱した場合、基準電気量ＶＦから異常を検出する異常検出手段１６を付加し、Ａ／Ｄ変換器１０の異常検出が可能となるように構成されている。
【００２１】
本実施の形態によれば、異常検出手段１６において、基準電気量ＶＦと予め設定された基準電気量の規定値とを比較し、Ａ／Ｄ変換器１０の特性誤差が許容範囲にあるか否かを判定し、Ａ／Ｄ変換器１０の温度変化や経年変化による特性誤差が許容範囲を逸脱した場合や故障などの異常を検出し、異常検出信号Ｅ１を出力することが可能となる。
【００２２】
これにより前記第１の実施の形態の効果に加えて、Ａ／Ｄ変換器１０の温度変化や経年変化による特性誤差が許容範囲を逸脱した場合や故障した場合に異常検出することができるので励磁制御装置１の信頼性を高めることができる。
【００２３】
次に本発明の第３の実施の形態について図４を参照して説明する。
図４に示すように本実施の形態は、図１に示す励磁制御装置１の交流信号検出手段５において、基準信号ＶＲを発生させる基準信号発生回路８と、入力信号Ｖ０、Ｉ０及び基準信号ＶＲの瞬時値を一定の周期でディジタル変換して、ディジタル信号行列ＶＤＣを生成出力するＡ／Ｄ変換器１０と、入力信号Ｖ０、Ｉ０のディジタル信号行列ＶＤＣから入力電気量ＶＥを演算する第１の交流信号演算手段１２と、基準信号ＶＲのディジタル信号行列ＶＤＤから基準電気量ＶＦを演算する第２の交流信号演算手段１４と、入力電気量ＶＥと基準電気量ＶＦから電気量Ｖ１、Ｉ１を補正演算する補正手段１５とから構成されている。
【００２４】
本実施の形態によれば、補正手段１５において基準電気量ＶＦとあらかじめ設定された基準電気量の規定値とを比較し、Ａ／Ｄ変換器１０の特性誤差を演算し、得られた特性誤差を基に入力電気量ＶＥを補正演算することにより、電気量Ｖ１、Ｉ１からＡ／Ｄ変換器１０の特性誤差の影響を排除することができる。
【００２５】
これにより、Ａ／Ｄ変換器１０の温度変化や経年変化による特性誤差が電気量Ｖ１、Ｉ１の検出精度に影響しなくなることから、電気量Ｖ１、Ｉ１の検出精度を向上させることができる。
【００２６】
次に、本発明の第４の実施の形態について図５を参照して説明する。
図５に示すように本実施の形態は、第３の実施の形態の励磁制御装置１の交流信号検出手段５において、特性誤差が許容範囲を逸脱した場合、基準電気量ＶＦから異常を検出する異常検出手段１６を付加し、Ａ／Ｄ変換器１０の異常検出が可能となるように構成されている。
【００２７】
本実施の形態によれば、異常検出手段１６において、基準電気量ＶＦと予め設定された基準電気量の規定値とを比較し、Ａ／Ｄ変換器１０の特性誤差が許容範囲にあるか否かを判定し、Ａ／Ｄ変換器１０の温度変化や経年変化による特性誤差が許容範囲を逸脱した場合や故障などの異常を検出し、異常検出信号Ｅ１を出力することが可能となる。
【００２８】
これにより前記第３の実施の形態の効果に加えて、Ａ／Ｄ変換器１０の温度変化や経年変化による特性誤差が許容範囲を逸脱した場合や故障した場合に異常検出することができるので励磁制御装置１の信頼性を高めることができる。
【００２９】
次に、本発明の第５の実施の形態について図６を参照して説明する。
図６に示すように本実施の形態は、第１の実施の形態の励磁制御装置１の交流信号検出手段５において、一定周期で基準信号を選択するための選択信号Ｓ１を発生する基準信号選択手段１７と、選択信号Ｓ１に応じて基準信号ＶＲを生成する基準信号発生回路８と、入力信号Ｖ０、Ｉ０と基準信号ＶＲを加算する加算回路９と、加算回路９からの出力信号ＶＡの瞬時値を一定の周期でディジタル変換して、ディジタル信号行列ＶＤＢを生成出力するＡ／Ｄ変換器１０と、ディジタル信号行列ＶＤＢから基準信号ＶＲの成分を除去する基準信号除去手段１１と、基準信号除去手段１１の出力のディジタル信号行列ＶＤＣから入力電気量ＶＥを演算する第１の交流信号演算手段１２と、ディジタル信号行列ＶＤＢから入力信号Ｖ０、Ｉ０を除去する入力信号除去手段１３と、入力信号除去手段１３の出力のディジタル信号行列ＶＤＤから基準電気量ＶＦを演算する第２の交流信号演算手段１４と、入力電気量Ｖ０、Ｉ０と基準電気量ＶＦ及び選択信号Ｓ１から電気量Ｖ１、Ｉ１を補正演算する補正手段１５とから構成されている。
【００３０】
本実施の形態によれば、補正手段１５において基準電気量ＶＦとあらかじめ設定された基準電気量の規定値とを比較し、Ａ／Ｄ変換器１０の特性誤差を演算し、得られた特性誤差を基に入力電気量ＶＥを補正演算することにより、電気量Ｖ１、Ｉ１からＡ／Ｄ変換器１０の特性誤差の影響を排除することができる。
【００３１】
また基準信号選択手段１７より出力される選択信号Ｓ１に応じて基準信号発生回路８で基準信号ＶＲの波形や電圧や周波数等を変化させることができるので、補正手段１５にて正確に特性誤差を演算することができる。
【００３２】
これにより、Ａ／Ｄ変換器１０の温度変化や経年変化による特性誤差が電気量Ｖ１、Ｉ１の検出精度に影響しなくなることから、電気量Ｖ１、Ｉ１の検出精度を向上させることができる。
【００３３】
また、より正確に特性誤差を演算することが可能なため補正手段１５における補正演算の精度が向上し、電気量Ｖ１、Ｉ１の検出精度を向上させることができる。
【００３４】
次に、本発明の第６の実施の形態について図７を参照して説明する。
図７に示すように本実施の形態は、第５の実施の形態の励磁制御装置１の交流信号検出手段５において、特性誤差が許容範囲を逸脱した場合、基準電気量ＶＦと基準信号選択手段１７の選択信号Ｓ１から異常を検出する異常検出手段１６を付加し、Ａ／Ｄ変換器の異常検出が可能となるように構成されている。
【００３５】
本実施の形態によれば、異常検出手段１６において、基準電気量ＶＦと予め設定された基準電気量の規定値とを比較し、Ａ／Ｄ変換器１０の特性誤差が許容範囲にあるか否かを判定し、Ａ／Ｄ変換器１０の温度変化や経年変化による特性誤差が許容範囲を逸脱した場合や故障などの異常を検出し、異常検出信号Ｅ１を出力することが可能となる。
【００３６】
これにより前記第５の実施の形態の効果に加えて、基準電気量ＶＦと基準信号選択手段１７の選択信号Ｓ１とにより正確に特性誤差を演算することが可能なため補正手段１５における補正演算の精度が向上し、電気量Ｖ１、Ｉ１の検出精度を向上させることができる。
【００３７】
そのうえ、Ａ／Ｄ変換器１０の温度変化や経年変化による特性誤差が許容範囲を上回った場合や故障した場合に異常検出することができるので励磁制御装置１の信頼性を高めることができる。
【００３８】
次に、本発明の第７の実施の形態について図８を参照して説明する。
図８に示すように本実施の形態は、第３の実施の形態の励磁制御装置１の交流信号検出手段５において、一定周期で基準信号ＶＲを選択するための選択信号Ｓ１を発生する基準信号選択手段１７と、選択信号Ｓ１に応じて基準信号ＶＲを生成する基準信号発生回路８と、入力信号Ｖ０、Ｉ０及び基準信号ＶＲの瞬時値を一定の周期でディジタル変換して、ディジタル信号行列ＶＤＣ、ＶＤＤを生成出力するＡ／Ｄ変換器１０と、入力信号Ｖ０、Ｉ０のディジタル信号行列ＶＤＣから入力電気量ＶＥを演算する第１の交流信号演算手段１２と、基準信号ＶＲのディジタル信号行列ＶＤＤから基準電気量ＶＦを演算する第２の交流信号演算手段１４と、入力電気量ＶＥと基準電気量ＶＦ及び基準信号選択手段１７の出力から入力電気量ＶＥを補正演算し電気量Ｖ１、Ｉ１を出力する補正手段１５とから構成されている。
【００３９】
本実施の形態によれば、補正手段１５において基準電気量ＶＦとあらかじめ設定された基準電気量の規定値とを比較し、Ａ／Ｄ変換器１０の特性誤差を演算し、得られた特性誤差を基に入力電気量ＶＥを補正演算することにより、電気量Ｖ１、Ｉ１からＡ／Ｄ変換器１０の特性誤差の影響を排除することができる。
【００４０】
また基準信号選択手段１７より出力される選択信号Ｓ１に応じて基準信号発生回路８で基準信号ＶＲの波形や電圧や周波数等を変化させることができるので、補正手段１５にて正確に特性誤差を演算することができる。
【００４１】
これにより、Ａ／Ｄ変換器１０の温度変化や経年変化による特性誤差が電気量Ｖ１、Ｉ１の検出精度に影響しなくなることから、電気量Ｖ１、Ｉ１の検出精度を向上させることができる。
【００４２】
また、より正確に特性誤差を演算することが可能なため補正手段１５における補正演算の精度が向上し、電気量Ｖ１、Ｉ１の検出精度を向上させることができる。
【００４３】
次に、本発明の第８の実施の形態について図９を参照して説明する。
図９に示すように本実施の形態は、第７の実施の形態の励磁制御装置１の交流信号検出手段５において、特性誤差が許容範囲を逸脱した場合、基準電気量ＶＦと基準信号選択手段１７の選択信号Ｓ１から異常を検出する異常検出手段１６を付加し、Ａ／Ｄ変換器の異常検出が可能となるように構成されている。
【００４４】
本実施の形態によれば、異常検出手段１６において、基準電気量ＶＦと予め設定された基準電気量の規定値とを比較し、Ａ／Ｄ変換器１０の特性誤差が許容範囲にあるか否かを判定し、Ａ／Ｄ変換器１０の温度変化や経年変化による特性誤差が許容範囲を逸脱した場合や故障などの異常を検出し、異常検出信号Ｅ１を出力することが可能となる。
【００４５】
これにより前記第７の実施の形態の効果に加えて、基準電気量ＶＦと基準信号選択手段１７の選択信号Ｓ１とにより正確に特性誤差を演算することが可能なため補正手段１５における補正演算の精度が向上し、電気量Ｖ１、Ｉ１の検出精度を向上させることができる。
【００４６】
そのうえ、Ａ／Ｄ変換器１０の温度変化や経年変化による特性誤差が許容範囲を上回った場合や故障した場合に異常検出することができるので励磁制御装置１の信頼性を高めることができる。
【００４７】
【発明の効果】
以上のように本発明によれば、Ａ／Ｄ変換器によりアナログ信号からディジタル信号に変換された同期発電機からの入力電気量と基準電気量とから電気量を補正演算し、また、Ａ／Ｄ変換器の特性誤差が規定範囲にあるか否かを判定するようにしたので、Ａ／Ｄ変換器の温度変化や経年変化による特性誤差が電気量の検出精度に影響することを防止し、また、Ａ／Ｄ変換器の温度変化や経年変化による特性誤差が許容範囲を逸脱した場合や故障した場合それを検出し、電気量の検出精度が高く、信頼性の高い交流信号検出手段を備えた同期発電機の励磁制御装置を得ることができる。
【図面の簡単な説明】
【図１】同期発電機の励磁制御装置の構成を示すブロック図。
【図２】本発明の第１の実施の形態による交流信号検出手段の構成を示すブロック図。
【図３】本発明の第２の実施の形態による交流信号検出手段の構成を示すブロック図。
【図４】本発明の第３の実施の形態による交流信号検出手段の構成を示すブロック図。
【図５】本発明の第４の実施の形態による交流信号検出手段の構成を示すブロック図。
【図６】本発明の第５の実施の形態による交流信号検出手段の構成を示すブロック図。
【図７】本発明の第６の実施の形態による交流信号検出手段の構成を示すブロック図。
【図８】本発明の第７の実施の形態による交流信号検出手段の構成を示すブロック図。
【図９】本発明の第８の実施の形態による交流信号検出手段の構成を示すブロック図。
【図１０】従来の同期発電機の励磁制御装置における交流信号検出手段を示すブロック図。
【符号の説明】
１…励磁制御装置、２…同期発電機、３…計器用変成器、４…変流器、５…交流信号検出手段、６…励磁装置、７…自動電圧調整手段、８…基準信号発生回路、９…加算回路、１０…Ａ／Ｄ変換器、１１…基準信号除去手段、１２…第１の交流信号演算手段、１３…入力信号除去手段、１４…第２の交流信号演算手段、１５…補正手段、１６…異常検出手段、１７…基準信号選択手段、Ｖ０…入力信号、Ｉ０…入力信号、Ｖ１…電気量、Ｉ１…電気量、Ｒ１…励磁信号、ＶＲ…基準信号、ＶＡ…加算回路出力信号、ＶＤＢ…ディジタル信号行列、ＶＤＣ…ディジタル信号行列、ＶＤＤ…ディジタル信号行列、ＶＥ…入力電気量、ＶＦ…基準電気量、Ｅ１…異常検出信号、Ｓ１…選択信号。
【図１】
2005033850.tif 000003
【図２】
2005033850.tif 000004
【図３】
2005033850.tif 000005
【図４】
2005033850.tif 000006
【図５】
2005033850.tif 000007
【図６】
2005033850.tif 000008
【図７】
2005033850.tif 000009
【図８】
2005033850.tif 000010
【図９】
2005033850.tif 000011
【図１０】
2005033850.tif 000012